(57)【特許請求の範囲】
【請求項１】
本体キャビネット内に断熱区画した商品収納庫と、該商品収納庫内に瓶入り商品を複数載置して、商品が最載置される底面を出口側に向かって下り勾配にした商品ラックと、該商品ラックから搬出された商品を傾斜面を摺動させて内扉に開口した搬出口に導くシュータと、該シュータから商品を一時預けする外扉の商品取出口バケットとを備え、販売指令に従って前記商品ラックから商品を一個宛切り出し、シュータを経て商品取出口バケットに搬出するようにした自動販売機であって、前記シュータは、前部を軸支して後端を昇降する傾動式とし、前記シュータの後端に昇降機構を設け、この昇降機構は、上方にばね付勢されて上下動可能に支持され、シュータの後端を挿通する挿通穴を有するスライダと、前記スライダを上下に駆動するアームとから構成したことを特徴とする自動販売機。
【請求項２】
請求項１記載の自動販売機において、シュータの前部を軸支する軸を挿通する軸孔は長孔としたことを特徴とする自動販売機。
【請求項３】
請求項１記載の自動販売機において、シュータは、一方の縁部の一部分を折り曲げて上向きに延長して断面Ｌ字形に形成するとともに、商品が摺動する摺動面を前記商品ラックの底面と略同じ勾配にし、当該摺動面にＶ字形凹みを設け、摺動方向と直交する断面がＶ字形を形成するようにしたことを特徴とする自動販売機。
【発明の詳細な説明】
【０００１】
【発明の属する技術分野】
この発明は、瓶入りの牛乳などの商品を販売する自動販売機に関する。
【０００２】
【従来の技術】
図６は従来例の構成図を示す。この図６において、５は商品、６は商品５を隔壁で複数室に仕切りして各室に一列に載置して、商品５が載置される底面を出口側に向かって下り勾配になるように取付られた商品ラック、７は商品ラック６から搬出された商品５を内扉に開口した搬出口のフラッパ８を経て外扉の内側に取付られて外側の商品取出口に連通する商品取出口バケット９に導くシュータを示す。
【０００３】
この図６において、商品５は隔壁で仕切られた商品ラック６の各室に一列に並べて保存される。商品ラック６は下部の取付脚を図示していない商品収納庫内の段違いの受台に引出し可能に係止して、商品５の搬出方向に下り勾配に取付けられている。
この構成において、販売指令により選択された商品５が商品ラック６から一個宛シュータ７に切り出されて、シュータ７の傾斜面を摺動して内扉に開口した搬出口のフラッパ８を押し開けて、外扉の商品取出口バケット１０に搬出される。
【０００４】
この商品ラック６、およびシュータ７は商品収納庫内に設置されており庫内に設けられた冷却器により冷却されている。（図２参照）
【０００５】
【発明が解決しようとする課題】
ところで従来の構成では、シュータは商品ラックの出口の下端から下向きに傾斜した状態で固定されており、シュータの高さ分だけ商品ラックの下方がデッドスペースになっているので、商品収納庫内により多くの商品ラックを収めることができなく商品の収容効率が悪くなっていた。また、シュータの内扉側では商品ラックの出口との落差が大きいため衝撃で商品が破損したり、転倒して液漏れや商品取出口バケットまで滑り落ちない恐れがあった。
【０００６】
この発明は上記課題を解決するためになされたもので、その目的とするところは、商品ラック下方のデッドスペースを無くして商品の収容効率を高くするとともに商品がシュータに乗り移る際の落差を無くして搬出時に商品に衝撃を与えないようにした自動販売機を提供することにある。
【０００７】
【課題を解決するための手段】
上記課題を解決するために請求項１記載の発明は、本体キャビネット内に断熱区画した商品収納庫と、該商品収納庫内に瓶入り商品を複数載置して、商品が最載置される底面を出口側に向かって下り勾配にした商品ラックと、該商品ラックから搬出された商品を傾斜面を摺動させて内扉に開口した搬出口に導くシュータと、該シュータから商品を一時預けする外扉の商品取出口バケットとを備え、販売指令に従って前記商品ラックから商品を一個宛切り出し、シュータを経て商品取出口バケットに搬出するようにした自動販売機であって、前記シュータは、前部を軸支して後端を昇降する傾動式とし、前記シュータの後端に昇降機構を設け、この昇降機構は、上方にばね付勢されて上下動可能に支持され、シュータの後端を挿通する挿通穴を有するスライダと、前記スライダを上下に駆動するアームとから構成したことを特徴とする。
【０００８】
上記構成によりシュータを商品ラックの商品の搬出口と面一にして商品がシュータに乗り移ってからスライダを上昇させてシュータを傾斜させれば商品はシュータ上を摺動して内扉の搬出口に向かって商品取出口バケットに搬出されるので、商品ラックの下方のデッドスペースを無くすとともに商品ラックからシュータへの乗り移りの際の落差を無くすことが可能になる。
【０００９】
また、請求項２記載の発明は、シュータの前部を軸支する軸を挿通する軸孔を長孔とする。
【００１０】
上記構成により請求項１の発明の作用以外にシュータの傾動終了の直前に後端のストッパがスライダの挿通孔に引っ掛かってシュータが引っ張られて前記長孔内を前記軸が摺動して後退するので、その分シュータから商品取出口バケットへの商品の移行を容易にすることが可能になる。
【００１１】
また、請求項３に記載の発明は、シュータは、一方の縁部の一部分を折り曲げて上向きに延長して断面Ｌ字形に形成するとともに、商品が摺動する摺動面を前記商品ラックの底面と略同じ勾配にし、当該摺動面にＶ字形凹みを設け、摺動方向と直交する断面がＶ字形を形成するようにする。上記構成により商品ラックからシュータへの乗り移りが完了するまでの商品の底面に接する面の傾斜が同じ勾配になるので商品の乗り移りをスムーズにすることが可能になる。また、シュータの一方の縁部に当て板を設けたことにより、商品がシュータを越えて落ちるのを防止することが可能になるとともに、商品の底面とシュータの摺動面との接触面積を少なくして商品の摺動を容易にすることが可能になる。
【００１４】
【発明の実施の形態】
図１はこの発明の実施の形態の主要部の構成を示し、（ａ）は商品ラックからシュータまでの外観図、（ｂ）は（ａ）の側面図を示す。図２は図１を搭載した自動販売機の外観図を示し、（ａ）は外扉および内扉を開放した図、（ｂ）は外扉のみ開放した図を示す。この図１、図２において、従来例と同一の符号を付けた部材はおおよそ同一の機能を有するのでその説明は省略する。この図１、図２において、１は本体キャビネット、２は本体キャビネット１にヒンジ取付された外扉、３は本体キャビネット１にヒンジ取付された断熱性の内扉、４は本体キャビネット１内に断熱区画された商品収納庫、５は商品、６は商品５を隔壁で複数室に仕切りした各室に一列に並べて載置して、商品５が載置される底面を出口側に向かって下り勾配になるように取付られた商品ラック、７Ａは商品ラック６から搬出された商品５を内扉３に開口した搬出口のフラッパ８を経て外扉２の内側に取付られて外側の商品取出口に連通する商品取出口バケット９に導く、一方の縁部を上向きに折り曲げて延長した当て板１０を有する断面Ｌ字形のシュータ、１１はシュータ７Ａの前端の軸孔に挿通する軸、１２は前記軸１１を軸支する軸孔を有する取付台、１３はシュータ７Ａの後端を挿通する挿通穴１４を有し、上方にばね１５で付勢されて上下動可能に支持されたスライダ、１６はスライダ１３を昇降駆動するアーム、１７は前記アーム１６を駆動するモータを示す。
【００１５】
この図１、図２において、本体キャビネット１内に断熱区画された商品収納庫４は、前面を本体キャビネット１にヒンジ取付された内扉３で閉鎖されており、本体キャビネット１の下部に配備した冷凍機から循環する冷媒を蒸発させる冷却器により冷却されている。また、内扉３の外側は外扉２により閉鎖されている。
そして、商品収納庫４内に保存される商品５は隔壁で仕切られた商品ラック６の各室に一列に並べて保存される。
【００１６】
商品ラック６は下部の取付脚を商品収納庫４内の段違いの受台（図示せず）に引出し可能に係止して、商品５の搬出方向に下り勾配に取付られている。
また、商品ラック６の出側には、一方の縁部を上向きに折り曲げて延長した当た板１０、および前端に軸１１を挿通する軸孔を有し、商品５の摺動面を商品ラック６の底面の勾配と略同じ勾配にしたシュータ７Ａが後端をスライダ１３の挿通穴１４に挿通して略水平状態で配備されている。そして、前記スライダ１３は、ばね１５により上方に付勢されて、アーム１６により上昇を抑止された状態で昇降可能に支持されている。なお、前記アーム１６はモータ１７により一定角度を往復するように駆動され、アーム１６の先端が最下点で前記シュータ７Ａが略水平状態になり、最上点で前記軸１１を中心に揺動して最大傾斜状態になる。
【００１７】
この構成において、販売指令により選択された商品５が商品ラック６から一個宛切り出されてシュータ７Ａに乗り移ると、モータ１７をアーム１６の先端が最上点に達するように駆動してシュータ７Ａが軸１１を中心に揺動して傾斜を最大にして、商品５を摺動させて内扉３に開口した搬出口に導きフラッパ８を押し開けて、外扉２の内側の商品取出口バケット９に搬出する。
【００１８】
なお、商品５はシュータ７Ａの摺動面の勾配により斜めになっているので、商品ラック６から商品５が乗り移る際の飛び出し、および摺動中の転倒を防止するために当て板１０で側面を支持されている。
商品取出口バケット９は外扉２の図示していない商品取出口のフラッパを開ければ、そこから手を入れて商品５を取り出すことができる。
【００１９】
図３はこの発明の別の実施の形態の主要部の構成を示し、（ａ）はシュータが水平に置かれた状態図、（ｂ）はシュータを最大傾斜直前まで傾斜した状態図、（ｃ）はシュータを最大傾斜まで傾斜した状態図を示す。この図３において、７Ｂは一方の縁部を上向きに折り曲げて延長した当て板１０、および前端側に軸１１を挿通する軸孔，後端を下向きに折り曲げたストッパ１８を有するシュータ、１３はシュータ７Ｂを挿通する挿通穴１４を有するスライダ、１２は前記シュータ７Ｂの前端の軸孔に挿通した軸１１を挿通する長孔１９を有する取付台を示す。
【００２０】
上記の構成において、商品が商品ラックからシュータ７Ｂに乗り移るまではシュータ７Ｂは図３（ａ）に示すように略水平に保たれており、商品の乗り移りが完了した後にスライダ１３を上昇させると、スライダ１３の挿通穴１４に挿通したシュータ７Ｂの後端が挿通穴１４で持ち上げられて、シュータ７Ｂは軸１１が長孔１９の前部にある状態で該軸１１を中心に最大傾斜直前まで図３（ｂ）に示すように傾動する。そして、それ以上にスライダ１３を上昇させると、シュータ７Ｂのストッパ１８が挿通穴１４に引っかかってシュータ７Ｂを後方に引っ張り同時に軸１１は長孔１９内の後部に移動して図３（ｃ）に示すようにシュータ７Ｂの傾動が完了する。前記傾動に伴って商品が商品取出口バケットに搬出された後、スライダ１３を下降させるとシュータ７Ｂは自重で軸１１を前方に押して元の図３（ａ）の水平状態に戻る。なお、当て板１０は商品ラックから商品がシュータ７Ｂに乗り移った際に商品の側面を支持するものである。
【００２１】
この図３が図１と異なる点は、シュータ７Ｂの後端を下向きに折り曲げたストッパ１８を設けるとともに、シュータ７Ｂの前端の軸孔に挿通した軸１１を支持する取付台の軸孔を長孔１９にしてスライダ１３を上方に駆動した際に前記ストッパ１８がスライダ１３の挿通穴１４に引っ掛かってシュータ７Ｂが後退するようにした点である。
【００２２】
図４はこの発明の他の実施の形態の主要部の構成図を示す。５は大、中、小の瓶に入れられた商品、７Ｂは一方の縁部を上向きに折り曲げて延長した当て板１０、および該当て板１０から商品５の高さに合わせて商品の側面を一点で支持するようにしたリブ２０、摺動面の傾斜部にＶ字形凹みを有するシュータを示す。
この図４のシュータが図１のシュータと異なる点は商品の摺動面をストレートな面の代わりにＶ字形に凹ませて商品と摺動面との接触面積を少なくした点と、商品の側面を支持するリブを商品の高さに合わせた高さにして大中小の商品に対し側面は一点で支持するようにした点である。
【００２３】
図５はこの発明のさらに他の実施の形態の主要部の構成図を示す。この図５において、７Ｃは一方の縁部を上向きに折り曲げて延長した当て板１０、および該当て板１０から商品５の高さに合わせて商品の側面を一点で支持するようにしたリブ２０、摺動面に商品を摺動する方向と平行な複数個の溝２２を有するシュータを示す。
【００２４】
この図５が図４と異なる点は摺動面にＶ字形凹みを設ける代わりに溝２２を設けて商品と摺動面との接触面積を少なくした点である。
【００２５】
【発明の効果】
この発明によれば、商品ラック下方のデッドスペースが無くなるので、商品の収容効率を良くするとともに、商品ラックからシュータへの商品の乗り移りがスムースになるので商品搬出時に商品の破損、転倒、液漏れ、商品詰まりを無くする効果がある。
【図面の簡単な説明】
【図１】  この発明の実施の形態の主要部分の構成を示し、（ａ）は商品ラックからシュータまでの外観図、（ｂ）は（ａ）の側面図図
【図２】        図１を搭載した自動販売機の外観図を示し、（ａ）は外扉および内扉を開放した図、（ｂ）は外扉のみ開放した図
【図３】        この発明の別の実施の形態の主要部の構成図
【図４】        この発明の他の実施の形態の主要部の構成図
【図５】        この発明のさらに他の実施の形態の主要部の構成図
【図６】        従来例の構成図
【符号の説明】
５            商品
６                  商品ラック
７Ａ，７Ｂ，７Ｃ    シュータ
１１                  軸
１２                  取付台
１３                  スライダ
１４                  挿通穴
１５                  ばね
１６                  アーム
１７                  モータ
１８                  ストッパ
１９                  長孔
２０                  リブ
２１                  Ｖ形凹み
２２                  溝
【図１】
0003716567.tif 000002
【図２】
0003716567.tif 000003
【図３】
0003716567.tif 000004
【図４】
0003716567.tif 000005
【図５】
0003716567.tif 000006
【図６】
0003716567.tif 000007